(57)【要約】【課題】操作部分の表面が煙草や指の脂で汚れても、警報信号の誤発信のないスロットマシンの提供。【解決手段】スイッチ16,30,50の近傍に近接センサ16A, 30A, 50A を設け、この近接センサ16A, 30A, 50A でスイッチ16,30,50に操作がなされたことを検出する。これにより、スイッチ16,30,50の表面が汚れていても、汚れていないときと同様に、操作検出が正確に行われるので、警報信号の誤発信がなくなる。また、近接センサ16A, 30A, 50A の操作検出時から、回転リール40の運転状態変化時までの時間を計時し、この時間が著しく短い、又は、長い場合に警報信号を発信する。これにより、近接センサ16A, 30A, 50A の操作検出後、回転リール40の運転状態が変化した場合でも、警報信号を発信することができる。【選択図】    図４
2010172446.tif 000002
【特許請求の範囲】
【請求項１】
メダルをベットするベット操作を行うためのベットスイッチと、回転リールの回転を開始させるスタートスイッチと、回転リールの回転を停止させるストップスイッチとを備え、ベットスイッチの操作後、スタートスイッチの操作がなされると、回転リールが回転を開始するとともに、回転リールが回転している状態で、ストップスイッチの操作がなされると、回転していた回転リールが停止するように形成され、ストップスイッチの操作によって停止した回転リールが示す図柄が所定の組合せになっている場合に入賞となるスロットマシンであって、
前記ベットスイッチ、前記スタートスイッチ及び前記ストップスイッチの少なくとも一つの近傍には、物体が所定の距離以内に接近したか否かを検出するための近接センサが設けられ、
且つ、前記回転リールが回転状態及び停止状態のいずれの運転状態であるかを検出し、運転状態に対応した運転状態信号を出力する回転検出手段と、
前記近接センサからの物体検出信号及び前記回転検出手段からの運転状態信号に基づいて、不正行為が行われたか否かを判定する不正行為判定手段とが設けられ、
前記近接センサは、検出対象となる物体の移動により変化する物理量を計測するとともに、計測した物理量に基づいて物体との距離を測定し、測定結果である物体との距離に対応した物体検出信号を出力するものであって、物体が所定の距離以内に接近すると、物体検出信号の状態が離隔報知状態から近接報知状態へ移行するように形成され、
前記不正行為判定手段は、物体検出信号の状態が離隔報知状態から近接報知状態へ移行すると計時を開始し、運転状態信号の示す運転状態が回転状態及び停止状態の一方から他方へ変化したときに計時を終了する計時手段を備え、この計時手段が計時した計時値が所定の範囲から逸脱しているときに、不正行為が行われたとの判定をするように形成されていることを特徴とするスロットマシン。
【請求項２】
メダルをベットするベット操作を行うためのベットスイッチと、回転リールの回転を開始させるスタートスイッチと、回転リールの回転を停止させるストップスイッチとを備え、ベットスイッチの操作後、スタートスイッチの操作がなされると、回転リールが回転を開始するとともに、回転リールが回転している状態で、ストップスイッチの操作がなされると、回転していた回転リールが停止するように形成され、ストップスイッチの操作によって停止した回転リールが示す図柄が所定の組合せになっている場合に入賞となるスロットマシンであって、
前記ベットスイッチ、前記スタートスイッチ及び前記ストップスイッチの少なくとも一つの近傍には、物体が所定の距離以内に接近したか否かを検出するための近接センサが設けられ、
且つ、前記回転リールが回転状態及び停止状態のいずれの運転状態であるかを検出し、運転状態に対応した運転状態信号を出力する回転検出手段と、
前記近接センサからの物体検出信号及び前記回転検出手段からの運転状態信号に基づいて、不正行為が行われたか否かを判定する不正行為判定手段とが設けられ、
前記近接センサは、検出対象となる物体の移動により変化する物理量を計測するとともに、計測した物理量に基づいて物体との距離を測定し、測定結果である物体との距離に対応した物体検出信号を出力するものであって、物体が所定の距離以内に接近すると、物体検出信号の状態が離隔報知状態から近接報知状態へ移行するように形成され、
前記不正行為判定手段は、物体検出信号の状態が離隔報知状態から近接報知状態へ移行すると、移行フラグを成立させ、移行フラグが成立していない状態で、運転状態信号の示す運転状態が回転状態及び停止状態の一方から他方へ変化したときに、不正行為が行われたとの判定をするように形成されていることを特徴とするスロットマシン。
【発明の詳細な説明】
【技術分野】
【０００１】
本発明は、メダルをベットするベット操作を行うためのベットスイッチと、回転リールの回転を開始させるスタートスイッチと、回転リールの回転を停止させるストップスイッチとを備え、ベットスイッチの操作後、スタートスイッチの操作がなされると、回転リールが回転を開始するとともに、回転リールが回転している状態で、ストップスイッチの操作がなされると、回転していた回転リールが停止するように形成され、ストップスイッチの操作によって停止した回転リールが示す図柄が所定の組合せになっている場合に入賞となるスロットマシンに関する。
【背景技術】
【０００２】
従来から、人々に娯楽を提供するための手段として、複数種類の図柄が記された複数の回転リールが回転駆動可能に設けられたスロットマシンが利用されている。このようなスロットマシンでは、遊技者がメダルを投入して遊技を開始した後、ストップボタンを押圧操作し、回転駆動させた複数の回転リールを適宜停止させ、これらの回転リールに表示された図柄が特定の組合せとなったときに入賞となる。そして、入賞すると、入賞した役に応じた数のメダルがスロットマシンから払い出されることとなる。
【０００３】
ところで、スロットマシンが設置された遊技場では、様々な手段や方法を用いた不正行為によって、スロットマシンから多量のメダルが不正に払い出される等の損害を被ってきた。遊技場で行われてきた不正行為としては、例えば、体感機とソレノイドとを用いた「ソレノイドゴト」が知られている。
【０００４】
すなわち、スロットマシンには、当該遊技で当選したか否かを決める当否抽選を行うために、所定の周期で計数動作を繰り返すとともに、スタートスイッチの操作で計数動作を停止するカウンタが設けられている。そして、カウンタの計数動作が停止した際におけるカウンタの計数値がアタリ領域及びハズレ領域いずれかに属しているかによって当選か否かが決定される。従って、カウンタの計数動作における当選タイミングで、スタートスイッチを操作することができれば、必ず当選することとなる。
【０００５】
「ソレノイドゴト」では、振動周期が調節可能な体感機と、この体感機の振動に連動して作動するソレノイドとを用い、ソレノイドでスタートスイッチを操作できるように、スロットマシンのスタートスイッチとソレノイドとを釣り糸等で連結しておく。この状態で、ソレノイドを駆動して、スタートスイッチを操作するにあたり、カウンタの計数動作の周期とが同じとなるように、体感機の振動周期を調整するとともに、体感機の振動の位相を少しずつシフトしていけば、カウンタの計数動作におけるボーナスゲーム等への当選タイミングを探り当てることができる。
このようにして、ボーナスゲーム等への当選タイミングを探り当てることができれば、ボーナスゲーム等への当選を不正に容易に入賞できるので、「ソレノイドゴト」が行われると、多量のメダルが不正に奪われてしまう。
【０００６】
そこで、遊技者がスタートスイッチを操作する際に接触するノブ等の操作部分にタッチセンサを設け、釣り糸等で操作し、指等で触れていない状態で操作した場合には、スタートスイッチの操作を無効とすることで、「ソレノイドゴト」の実行を阻止し、多量のメダルが不正に奪われることを未然に防止するスロットマシンが知られている（例えば、特許文献１参照）。
【先行技術文献】
【特許文献】
【０００７】
【特許文献１】特開２００６−６８２６９号公報
【発明の概要】
【発明が解決しようとする課題】
【０００８】
前述のようなスロットマシンでは、操作部分が操作された際に、タッチセンサが接触を検出していなければ、警報信号を発信するように形成することにより、前述の「ソレノイドゴト」等の不正行為が行われていることを報知することができるが、タッチセンサで接触が検出される操作部分の表面が煙草や指の脂で汚れると、汚れでタッチセンサが接触を確実に検出できなくなるので、適正に操作がなされたにもかかわらず、警報信号を発信するようになり、誤報を頻発させる、という問題がある。
【０００９】
そこで、各請求項にそれぞれ記載された各発明は、上記した背景技術の有する問題点に鑑みてなされたものであり、その目的とするところは、操作部分の表面が煙草や指の脂で汚れても、警報信号の誤発信のないスロットマシンを提供することである。
【課題を解決するための手段】
【００１０】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１１】
（請求項１）
（特徴点）
請求項１記載の発明は、次の点を特徴とする。
すなわち、請求項１記載の発明は、メダルをベットするベット操作を行うためのベットスイッチ(16)と、回転リール(40)の回転を開始させるスタートスイッチ(30)と、回転リール(40)の回転を停止させるストップスイッチ(50)とを備え、ベットスイッチ(16)の操作後、スタートスイッチ(30)の操作がなされると、回転リール(40)が回転を開始するとともに、回転リール(40)が回転している状態で、ストップスイッチ(50)の操作がなされると、回転していた回転リール(40)が停止するように形成され、ストップスイッチ(50)の操作によって停止した回転リール(40)が示す図柄(41)が所定の組合せになっている場合に入賞となるスロットマシン(１)であって、前記ベットスイッチ(16)、前記スタートスイッチ(30)及び前記ストップスイッチ(50)の少なくとも一つの近傍には、物体が所定の距離以内に接近したか否かを検出するための近接センサ(16A,30A,50A) が設けられ、且つ、前記回転リール(40)が回転状態及び停止状態のいずれの運転状態であるかを検出し、運転状態に対応した運転状態信号を出力する回転検出手段(５)と、前記近接センサ(16A,30A,50A) からの物体検出信号及び前記回転検出手段(５)からの運転状態信号に基づいて、不正行為が行われたか否かを判定する不正行為判定手段(６)とが設けられ、前記近接センサ(16A,30A,50A) は、検出対象となる物体の移動により変化する物理量を計測するとともに、計測した物理量に基づいて物体との距離を測定し、測定結果である物体との距離に対応した物体検出信号を出力するものであって、物体が所定の距離以内に接近すると、物体検出信号の状態が離隔報知状態から近接報知状態へ移行するように形成され、前記不正行為判定手段(６)は、物体検出信号の状態が離隔報知状態から近接報知状態へ移行すると計時を開始し、運転状態信号の示す運転状態が回転状態及び停止状態の一方から他方へ変化したときに計時を終了する計時手段(61A〜65A)を備え、この計時手段(61A〜65A)が計時した計時値(t1〜t5)が所定の範囲から逸脱しているときに、不正行為が行われたとの判定をするように形成されていることを特徴とする。
【００１２】
（請求項２）
（特徴点）
請求項２記載の発明は、次の点を特徴とする。
すなわち、請求項２に記載された発明は、メダルをベットするベット操作を行うためのベットスイッチ(16)と、回転リール(40)の回転を開始させるスタートスイッチ(30)と、回転リール(40)の回転を停止させるストップスイッチ(50)とを備え、ベットスイッチ(16)の操作後、スタートスイッチ(30)の操作がなされると、回転リール(40)が回転を開始するとともに、回転リール(40)が回転している状態で、ストップスイッチ(50)の操作がなされると、回転していた回転リール(40)が停止するように形成され、ストップスイッチ(50)の操作によって停止した回転リール(40)が示す図柄(41)が所定の組合せになっている場合に入賞となるスロットマシン(１)であって、前記ベットスイッチ(16)、前記スタートスイッチ(30)及び前記ストップスイッチ(50)の少なくとも一つの近傍には、物体が所定の距離以内に接近したか否かを検出するための近接センサ(16A,30A,50A) が設けられ、且つ、前記回転リール(40)が回転状態及び停止状態のいずれの運転状態であるかを検出し、運転状態に対応した運転状態信号を出力する回転検出手段(５)と、前記近接センサ(16A,30A,50A) からの物体検出信号及び前記回転検出手段(５)からの運転状態信号に基づいて、不正行為が行われたか否かを判定する不正行為判定手段(７)とが設けられ、前記近接センサ(16A,30A,50A) は、検出対象となる物体の移動により変化する物理量を計測するとともに、計測した物理量に基づいて物体との距離を測定し、測定結果である物体との距離に対応した物体検出信号を出力するものであって、物体が所定の距離以内に接近すると、物体検出信号の状態が離隔報知状態から近接報知状態へ移行するように形成され、前記不正行為判定手段(７)は、物体検出信号の状態が離隔報知状態から近接報知状態へ移行すると、移行フラグを成立させ、移行フラグが成立していない状態で、運転状態信号の示す運転状態が回転状態及び停止状態の一方から他方へ変化したときに、不正行為が行われたとの判定をするように形成されていることを特徴とする。
【００１３】
以上の請求項１及び請求項２において、近接センサとしては、以下の(１)〜(４)に示すもののいずれもが採用できる。
(１)  検出対象となる物体に向けてマイクロ波等の電磁波を照射し、その反射波が帰還してくるまでの帰還時間、又は、その反射波の反射量に基づいて物体の近接を検出する電磁波式の近接センサ。
(２)  検出対象となる物体に向けて赤外線等の光を照射し、その反射光の光量に基づいて物体の近接を検出する反射光式の近接センサ。
(３)  検出対象の物体とともに静電容量素子を形成する電極を有し、検出対象の物体とともに形成する静電容量に基づいて物体の近接を検出する電界式の近接センサ。
(４)  検出対象となる物体に向けて超音波を照射し、この超音波が反射して帰還してくるまでの帰還時間から物体の近接を検出する超音波式の近接センサ。
【発明の効果】
【００１４】
（請求項１の効果）
請求項１に記載の発明は、以下に示すような効果を奏する。
すなわち、請求項１記載の発明によれば、操作部分としてスロットマシンに設けられているベットスイッチ、スタートスイッチ及びストップスイッチのうち、不正行為の監視対象となる操作部分の近傍に近接センサを設け、検出対象の物体と操作部分との距離がごく僅かにならないと、近接センサが物体の近接を検出しないようにすれば、操作部分を操作する操作者の身体の一部（例えば、指）が操作部分との間に僅かな距離を残して近接、あるいは、操作部分に到達した状態、換言すると、操作部分に触れたとみなせる状態になっている場合にのみ、近接センサがその接近を検出するようになる。
このため、操作部分が操作された際に、近接センサが物体の接近を検出していなければ、前述した「ソレノイドゴト」等の不正行為が行われているとみなすことができるので、近接センサの検出がなされていない状態で操作部分が操作されたことを条件に、警報信号を発信するように形成すれば、「ソレノイドゴト」等の不正行為が行われていることを報知することができる。
ここで、近接センサは、それ自身と物体との距離を測定し、測定した物体との距離に基づいて、物体の接近を検出することから、操作部分の表面が汚れていても、汚れていないときと同様に、物体の接近を正確に検出できる。従って、操作部分の表面が煙草や指の脂で汚れても、警報信号を誤発信するおそれがなく、これにより前記目的が達成される。
【００１５】
また、請求項１記載の発明によれば、不正行為判定手段として、物体検出信号の状態が離隔報知状態から近接報知状態へ移行すると計時を開始し、回転リールの運転状態が回転状態及び停止状態の一方から他方へ変化したときに計時を終了する計時手段を備え、この計時手段が計時した計時値が所定の範囲から逸脱しているときに、不正行為が行われたとの判定をするように形成されているものを採用したので、操作部分に接触しないで、回転リールの運転状態が変化した場合だけでなく、近接センサが当該操作者の身体の一部の近接を検出した後に、回転リールの運転状態が変化した場合でも、回転リールの運転状態が変化したタイミングが異常であるときには、警報信号を発信することができる。
すなわち、不正行為判定手段に対して、前述の計時手段が計時した計時値が所定値よりも小さい場合に、不正行為が行われたとの判定を行うように設定しておく。
すると、操作部分に接触せずに回転リールの運転状態が変化した場合、計時手段が起動しないので、計時値が「０」のままとなり、計時値が所定値よりも大きくなることがなく、所定の範囲から逸脱するので、操作部分に接触せずに回転リールの運転状態を変化させたことが検知でき、従って、不正行為が行われたことを報知することができる。
そして、操作部分を操作する操作者が操作部分を操作する際に、近接センサが当該操作者の身体の一部の近接を検出してから、回転リールの運転状態が変化するまでには、ある程度の時間を要するので、近接センサの近接検出と、回転リールの運転状態変化とがタイミングのずれが異常に短い、あるいは、タイミングのずれがない場合は、不正行為によって、回転リールの運転状態が変化したとみなせる。
このため、近接センサが近接を検出した後に、回転リールの運転状態が変化した場合でも、近接センサが近接を検出したタイミングと回転リールの運転状態が変化したタイミングとのずれが異常に短いときには、前述の計測手段による計時値が所定値よりも小さくなって、所定の範囲から逸脱する。
従って、近接センサの検出タイミングと回転リールの運転状態変化タイミングとが時間的に異常に近接する場合には、不正行為判定手段によって当該不正行為が検知され、このような場合でも、不正行為が行われたことを報知することができる。
【００１６】
（請求項２の効果）
請求項２に記載の発明は、以下に示すような効果を奏する。
すなわち、請求項２記載の発明によれば、遊技者等が操作部分に接触したとみなせるか否かを判定するために、前述の請求項１と同様に、近接センサを設けたので、操作部分の表面が汚れていても、汚れていないときと同様に、物体の接近を正確に検出できる。
従って、遊技者等が操作部分に接触したとみなせるか否かの判定が適格になされるようになり、操作部分の表面が煙草や指の脂で汚れても、警報信号を誤発信するおそれがなく、これにより前記目的が達成される。
【図面の簡単な説明】
【００１７】
【図１】本発明の第１実施形態に係るスロットマシンの全体を示す正面図である。
【図２】前記実施形態に係る不正行為判定手段を示すブロック図である。
【図３】前記実施形態の不正行為判定処理を説明するためのフローチャートである。
【図４】前記実施形態の回転開始時処理を説明するためのフローチャートである。
【図５】図４に示す第１回転停止時処理を説明するためのフローチャートである。
【図６】図４に示す第２回転停止時処理を説明するためのフローチャートである。
【図７】図４に示す第３回転停止時処理を説明するためのフローチャートである。
【図８】本発明の第２実施形態に係る不正行為判定手段を示すブロック図である。
【発明を実施するための形態】
【００１８】
以下に、本発明を実施するための形態である実施形態について、図面を参照しながら説明する。 
［第１実施形態］
（スロットマシン１の概要）
図１には、本発明の第１実施形態に係るスロットマシン１が示されている。
図１において、スロットマシン１は、複数の回転リール40の各々に記された複数種類の図柄が所定の組合せとなるように、回転している回転リール40を停止させる遊技を遊技者に行わせるものとなっている。このスロットマシン１には、図１に示すように、当該スロットマシン１の各種装置を収納するとともに、正面形状が長方形となった筐体２が備えられている。
筐体２は、正面全体が開口された箱状の部材である。そして、筐体２には、その開口を塞ぐための前扉３が回動可能に設けられている。
【００１９】
前扉３の上下方向における中央部分は、スロットマシン１の遊技操作を行うための操作部４となっている。
操作部４には、図１中右側から、前扉３の施錠を行う鍵が差し込まれる鍵穴3Aと、遊技用メダルが投入されるメダル投入口18と、回転リール40の回転を停止させるストップスイッチ50と、メダルをベットするベット操作を行うためのベットスイッチ16と、回転リール40の回転を開始させるスタートスイッチ30と、貯留されているメダルを払い戻させるための精算スイッチ17とが設けられている。
操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け3Cが設けられている。
【００２０】
また、操作部４の上方には、横方向に細長い長方形状に形成された図柄表示窓13が設けられている。図柄表示窓13は、筐体２の内部に収納された回転リール40の図柄41を遊技者に見せるための窓である。
図柄表示窓13の上方には、動画の表示までもが可能となった液晶パネル表示装置66A が設けられている。これらの液晶パネル表示装置66A 及び図柄表示窓13の周囲には、液晶パネル表示装置66A 及び図柄表示窓13の図１中左方、上方、右方を囲むように、逆Ｕ字形に配列された装飾ランプ部66B が設けられている。
また、前扉３の上方左右の角隅近傍には、種々の音声を出力するためのスピーカ66C が設けられている。
【００２１】
これらの装飾ランプ部66B 及びスピーカ66C は、各遊技毎にスロットマシン１の内部で行われる当否抽選で、所定の当選役に対応した当選フラグが成立した際に行われる演出を行うための演出手段66となっている。
この演出手段66は、遊技者に当選フラグが成立すると、例えば、ボーナスフラグが成立すると、装飾ランプ部66B を点灯又は点滅させる、あるいは、スピーカ66C から当選音を発生させる等の演出動作を単独で、又は、複数組み合わせて行うことにより、遊技者に当選フラグの成立を報知することが可能となっている。なお、演出手段66で当選フラグの成立を報知する際には、液晶パネル表示装置66A でその旨を文字や画像で表示することもできる。
【００２２】
筐体２の内部には、前述の三個の回転リール40を回転可能に支持するとともに、各回転リール40を回転駆動する図示しないモータを備えたリールユニット60と、メダル投入口18に投入されたメダルの適否を判定するメダルセレクタ15と、このメダルセレクタ15を通過してきたメダルを貯留する容器であるとともに、入賞時には遊技者にメダルを払い出すホッパーユニット45とが設けられている。
このうち、ホッパーユニット45は、内部に貯留しているメダルを入賞時に遊技者に払い出すために、メダル受け3Cに臨むように開口された払い出し口45A を通じてメダルをメダル受け3Cへ排出するものである。
【００２３】
以上のようなスロットマシン１は、遊技者によるベットスイッチ16の操作後、スタートスイッチ30の操作がなされると、回転リール40が回転を開始するように形成されている。そして、スロットマシン１は、回転リール40の回転している状態で、ストップスイッチ50の操作がなされると、回転していた回転リール40が停止するように形成され、ストップスイッチ50の操作によって停止した回転リール40が示す図柄41が所定の組合せになっている場合に入賞となる遊技機となっている。
【００２４】
このスロットマシン１には、「ソレノイドゴト」等の不正行為が行われていることを検知するとともに、その旨を遊技場の係員等に報知するために、近接センサ50A, 16A, 30A 、並びに、図１において図示が省略されている回転検出手段５及び不正行為判定手段６が設けられている。なお、これらの近接センサ50A, 16A, 30A は、他と区別する必要のないときは、単に、「近接スイッチ」という。回転検出手段５についても同様に、他と区別する必要のないときは、単に、「回転検出手段」という。
【００２５】
（近接センサ）
すなわち、図１中左右に配列された３個のストップスイッチ50のうち、左側に配置されている左ストップスイッチ50の近傍における図１中上方の位置には、当該左ストップスイッチ50について、操作者の指等の物体の接近を検出する左ストップスイッチ用近接センサ50A が設けられている。
また、中央に配置されている中ストップスイッチ50の近傍における図１中上方の位置には、当該中ストップスイッチ50について、操作者の指等の物体の接近を検出する中ストップスイッチ用近接センサ50A が設けられている。
さらに、右側に配置されている右ストップスイッチ50の近傍における図１中上方の位置には、当該右ストップスイッチ50について、操作者の指等の物体の接近を検出する右ストップスイッチ用近接センサ50A が設けられている。
【００２６】
そして、ベットスイッチ16の近傍における図１中上方の位置には、ベットスイッチ16の操作を行う操作者の指等の接近を検出するベットスイッチ用近接センサ16A が設けられている。
また、スタートスイッチ30の近傍における図１中上方の位置には、スタートスイッチ30の操作を行う操作者の指等の接近を検出するスタートスイッチ用近接センサ30A が設けられている。
【００２７】
これらの近接センサ50A, 16A, 30Aは、物体が所定の距離以内に接近したか否かを検出するためのセンサである。
さらに詳しく説明すると、近接センサ50A, 16A, 30Aは、検出対象となる物体の移動により変化する物理量を計測するとともに、計測した物理量に基づいて物体との距離を測定し、測定結果である物体との距離に対応した物体検出信号を出力するものであって、物体が所定の距離以内に接近すると、物体検出信号の状態が離隔報知状態から近接報知状態へ移行するように形成されている。
例えば、近接センサ50A, 16A, 30Aとしては、前述した電磁波式、反射光式、電界式、及び、超音波式の何れもが採用できる。
【００２８】
（回転検出手段５）
また、図１中左右に配列された３個の回転リール40に対して、それぞれ回転検出手段５が設けられている。
すなわち、左側に配置された左回転リール40については、当該左回転リール40が回転しているか否かを検出する左回転リール用回転検出手段５が設けられ、中央に配置された中回転リール40については、当該中回転リール40が回転しているか否かを検出する中回転リール用回転検出手段５が設けられ、右側に配置された右回転リール40については、当該右回転リール40が回転しているか否かを検出する右回転リール用回転検出手段５が設けられている。
【００２９】
これらの回転検出手段５は、図１には示されていないが、それぞれ対応する回転リール40が回転しているか否かを検出する回転検出機構を備えたものである。
例えば、回転検出手段５の回転検出機構としては、回転リール40の回転軸と同軸に設けられたロータリーエンコーダ等、回転リール40の回転を直接検出する機械式回転検出機構だけでなく、回転リール40を駆動する電動機に流れる電流、あるいは、この電動機への電力路を開閉する接点の状態を検出することで、回転リール40の回転を間接的に検出する電気式回転検出機構も採用することができる。
【００３０】
この際、回転検出手段５の各々は、回転リール40が回転状態及び停止状態のいずれの運転状態であるかを検出し、運転状態に対応した運転状態信号を出力するように形成されたものとなっている。
そして、各回転検出手段５には、回転リール40が回転状態のときに論理値「１」を、停止状態のときに論理値「０」を示す信号が出力される順出力ポートと、この順出力ポートの信号を反転させた信号が出力される反転出力ポートとが設けられている。
【００３１】
（不正行為判定手段６）
不正行為判定手段６は、近接センサ50A, 16A, 30Aから発信されてくる物体検出信号、及び、三つの回転検出手段５から発信されてくる運転状態信号に基づいて、不正行為が行われたか否かを判定するものである。
不正行為判定手段６には、図２に示すように、ベットスイッチ用近接センサ16A からの信号等に基づいて不正行為の判定を行う第１不正行為判定部61と、スタートスイッチ用近接センサ30A からの信号等に基づいて不正行為の判定を行う第２不正行為判定部62と、左ストップスイッチ用近接センサ50A からの信号等に基づいて不正行為の判定を行う第３不正行為判定部63と、中ストップスイッチ用近接センサ50A からの信号等に基づいて不正行為の判定を行う第４不正行為判定部64と、右ストップスイッチ用近接センサ50A からの信号等に基づいて不正行為の判定を行う第５不正行為判定部65と、二つの論理和回路部67A, 66Bとが設けられている。
【００３２】
このうち、論理和回路部67A は、左回転リール用回転検出手段５、中回転リール用回転検出手段５及び右回転リール用回転検出手段５の各順出力ポートから出力される運転状態信号をそれぞれ受信し、これらの信号の論理和を演算して、その結果に対応した運転状態信号を出力するものである。
換言すると、論理和回路部67A は、左回転リール40、中回転リール40及び右回転リール40の少なくとも一つが回転していると、論理値「１」を示す運転状態信号を出力するように形成されたものとなっている。
【００３３】
論理和回路部67B は、第１〜５不正行為判定部61〜65から出力される信号を受信し、これらの信号の論理和を演算して、その結果に対応した信号を出力するものである。
換言すると、論理和回路部67B は、第１〜５不正行為判定部61〜65の少なくとも一つが不正行為有りとの判定を行い、その旨を知らせるための警報信号を出力すると、この信号が不正行為判定手段６全体の警報信号となるように、第１〜５不正行為判定部61〜65の出力の論理和を警報信号として出力するものである。
【００３４】
（第１不正行為判定部61）
第１不正行為判定部61は、ベットスイッチ用近接センサ16A 及び論理和回路部67A の出力信号に基づいて作動する第１タイマ61A と、この第１タイマ61A が計時した計時値t1の大きさを判定するための基準範囲を記憶している第１範囲記憶手段61B と、この第１範囲記憶手段61B に記憶されている基準範囲と計時値t1とを比較するための第１コンパレータ61C とを備えたものとなっている。
【００３５】
そして、第１タイマ61A は、ベットスイッチ用近接センサ16A から出力される物体検出信号の状態が離隔報知状態から近接報知状態へ移行すると計時を開始し、左回転リール用回転検出手段５、中回転リール用回転検出手段５及び右回転リール用回転検出手段５のそれぞれから出力される運転状態信号のうち、少なくとも一の運転状態信号の示す運転状態が停止状態から運転状態へ変化したときに計時を終了する計時手段である。
換言すると、第１タイマ61A は、ベットスイッチ用近接センサ16A が物体の接近を検出すると計時を開始し、左回転リール40、中回転リール40及び右回転リール40の少なくとも一つが回転を開始すると、計時を終了するものとなっている。
そして、第１タイマ61A は、計時を終了すると、計時した計時値t1を示す計時値信号を第１コンパレータ61C へ送出するようになっている。
【００３６】
第１範囲記憶手段61B は、一般的に適正とみなせる操作によって、ベットスイッチが操作されてから回転リールが一斉に回転を開始するまでに要する時間の最小値及び最大値を記憶したものである。
第１コンパレータ61C は、第１タイマ61A から出力された計時値信号が示す値、換言すると、第１タイマ61A が計時した計時値t1と、第１範囲記憶手段61B に記憶されている最小値Min1及び最大値Max1とを比較し、計時値t1が最小値Min1よりも小さく、且つ、最大値Max1よりも大きいか否かを判定し、換言すると、計時値t1が所定の範囲から逸脱しているか否かを判定するものとなっている。そして、第１コンパレータ61C は、計時値t1が所定の範囲から逸脱している場合には、不正行為が行われている旨を知らせる警報信号を出力するようになっている。
以上において、第１不正行為判定部61は、第１タイマ61A の計時した計時値t1が所定の範囲から逸脱しているときには、不正行為が行われたとの判定をするように形成され、不正行為が行われたとの判定をしたときには、その旨を報知する警報信号を出力するものとなっている。
【００３７】
（第２不正行為判定部62）
第２不正行為判定部62は、前述した第１不正行為判定部61と同様の構成を有するものである。具体的には、第２不正行為判定部61は、第１不正行為判定部61の第１タイマ61A 、第１範囲記憶手段61B 及び第１コンパレータ61C のそれぞれに相当する第２タイマ62A 、第２範囲記憶手段62B 及び第２コンパレータ62C を備えている。
ここで、第２不正行為判定部62と前述の第１不正行為判定部61とは、第１不正行為判定部61がベットスイッチ用近接センサ16A からの物体検出信号を受信するように形成されたものであるのに対し、第２不正行為判定部62がスタートスイッチ用近接センサ30A からの物体検出信号を受信するように形成されたものである点が相違している。
要するに、第２不正行為判定部62は、その計時手段として、スタートスイッチ用近接センサ30A から出力される物体検出信号の状態が離隔報知状態から近接報知状態へ移行することを契機として計時を開始し、左回転リール用回転検出手段５、中回転リール用回転検出手段５及び右回転リール用回転検出手段５のそれぞれから出力される運転状態信号のうち、少なくとも一の運転状態信号の示す運転状態が停止状態から運転状態へ変化したときに計時を終了するる第２タイマ62A を備えたものとなっている。
第２不正行為判定部62の他の部分は、第１不正行為判定部61と同様であるので、その説明を省略する。なお、第２タイマ62A の計時値、並びに、その最小値及び最大値は、それぞれ「計時値t2」並びに「最小値Min2」及び「最大値Max2」と表す。
【００３８】
（第３不正行為判定部63）
第３不正行為判定部63は、前述した第１不正行為判定部61と同様の構成を有するものである。具体的には、第３不正行為判定部63は、第１不正行為判定部61の第１タイマ61A 、第１範囲記憶手段61B 及び第１コンパレータ61C のそれぞれに相当する第３タイマ63A 、第３範囲記憶手段63B 及び第２コンパレータ63C を備えている。
ここで、第３不正行為判定部63と前述の第１不正行為判定部61とは、第１不正行為判定部61がベットスイッチ用近接センサ16A からの物体検出信号を受信するとともに、論理和回路部67A からの信号を受信するように形成されたものであるのに対し、第３不正行為判定部62が左ストップスイッチ用近接センサ50A からの物体検出信号を受信するとともに、左回転リール用回転検出手段５の反転出力ポートからの信号を受信するように形成されたものである点が相違している。
要するに、第３不正行為判定部62は、その計時手段として、左ストップスイッチ用近接センサ50A から出力される物体検出信号の状態が離隔報知状態から近接報知状態へ移行することを契機として計時を開始し、左回転リール用回転検出手段５から出力される運転状態信号の示す運転状態が運転状態から停止状態へ変化したときに計時を終了するる第３タイマ63A を備えたものとなっている。
第３不正行為判定部63の他の部分は、第１不正行為判定部61と同様であるので、その説明を省略する。なお、第３タイマ63A の計時値、並びに、その最小値及び最大値は、それぞれ「計時値t3」並びに「最小値Min3」及び「最大値Max3」と表す。
【００３９】
（第４不正行為判定部64）
第４不正行為判定部64は、前述した第３不正行為判定部63と同様の構成を有するものである。具体的には、第４不正行為判定部64は、第３不正行為判定部63の第３タイマ63A 、第３範囲記憶手段63B 及び第３コンパレータ63C のそれぞれに相当する第４タイマ64A 、第４範囲記憶手段64B 及び第４コンパレータ64C を備えている。
ここで、第４不正行為判定部64と前述の第３不正行為判定部63とは、第３不正行為判定部63が左ストップスイッチ用近接センサ50A からの物体検出信号を受信するとともに、左回転リール用回転検出手段５からの信号を受信するように形成されたものであるのに対し、第４不正行為判定部64が中ストップスイッチ用近接センサ50A からの物体検出信号を受信するとともに、中回転リール用回転検出手段５の反転出力ポートからの信号を受信するように形成されたものである点が相違している。
要するに、第４不正行為判定部64は、その計時手段として、中ストップスイッチ用近接センサ50A から出力される物体検出信号の状態が離隔報知状態から近接報知状態へ移行することを契機として計時を開始し、中回転リール用回転検出手段５から出力される運転状態信号の示す運転状態が運転状態から停止状態へ変化したときに計時を終了するる第４タイマ64A を備えたものとなっている。
第４不正行為判定部64の他の部分は、第３不正行為判定部63と同様であるので、その説明を省略する。なお、第４タイマ64A の計時値、並びに、その最小値及び最大値は、それぞれ「計時値t4」並びに「最小値Min4」及び「最大値Max4」と表す。
【００４０】
（第５不正行為判定部65）
第５不正行為判定部65は、前述した第３不正行為判定部63と同様の構成を有するものである。具体的には、第５不正行為判定部65は、第３不正行為判定部63の第３タイマ63A 、第３範囲記憶手段63B 及び第３コンパレータ63C のそれぞれに相当する第５タイマ65A 、第５範囲記憶手段65B 及び第５コンパレータ65C を備えている。
ここで、第５不正行為判定部65と前述の第３不正行為判定部63とは、第３不正行為判定部63が左ストップスイッチ用近接センサ50A からの物体検出信号を受信するとともに、左回転リール用回転検出手段５からの信号を受信するように形成されたものであるのに対し、第５不正行為判定部65が中ストップスイッチ用近接センサ50A からの物体検出信号を受信するとともに、中回転リール用回転検出手段５の反転出力ポートからの信号を受信するように形成されたものである点が相違している。
要するに、第４不正行為判定部64は、その計時手段として、右ストップスイッチ用近接センサ50A から出力される物体検出信号の状態が離隔報知状態から近接報知状態へ移行することを契機として計時を開始し、右回転リール用回転検出手段５から出力される運転状態信号の示す運転状態が運転状態から停止状態へ変化したときに計時を終了するる第５タイマ65A を備えたものとなっている。
第５不正行為判定部65の他の部分は、第３不正行為判定部63と同様であるので、その説明を省略する。なお、第５タイマ65A の計時値、並びに、その最小値及び最大値は、それぞれ「計時値t5」並びに「最小値Min5」及び「最大値Max5」と表す。
【００４１】
（不正行為判定処理）
以下に、本第１実施形態に係る不正行為判定手段６による不正行為判定処理について図３〜図７を参照しながら説明する。
スロットマシン１の電源が投入されると、遊技が実行可能となると同時に、不正行為判定手段６による不正行為判定処理が開始される。
【００４２】
不正行為判定処理では、図３に示すように、ステップＳ1000から開始される回転リール起動時処理、ステップＳ3000から開始される左回転リール停止時処理、ステップＳ4000から開始される中回転リール停止時処理、及び、ステップＳ5000から開始される右回転リール停止時処理が順次行われる。
そして、以上の処理が一通り終了したら、換言すると、右回転リール停止時処理が終了したら、次のステップＳ6100に進む。
【００４３】
ステップＳ6100では、三個設けられているすべての回転リール40が停止したか否かが判定される。そして、すべての回転リール40が停止したと判定されなかった場合、ステップＳ3000に戻る一方、ステップＳ6100で、すべての回転リール40が停止したと判定された場合、次のステップＳ6200に進む。
ステップＳ6200では、本不正行為判定処理で成立させたフラグ及び起動したタイマをすべてリセットするリセット処理が行われる。
具体的に説明すると、ステップＳ6200では、成立させたフラグをすべて不成立に戻すとともに、第１タイマ61A 、第２タイマ62A 、第３タイマ63A 、第４タイマ64A 及び第５タイマ65A については、計時動作を継続している場合、計時動作を停止させ、さらに、計時値t1,t2,t3,t4,t5をすべて「０」にするリセットする処理を行う。
このリセット処理が完了すると、不正行為判定処理を再度繰り返すためステップＳ1000へ戻る。そして、不正行為判定処理は、スロットマシン１の電源が切断されるまで、何度も繰り返し行われるようになっている。
【００４４】
（回転リール起動時処理）
次に、ステップＳ1000から開始される回転リール起動時処理について説明する。
回転リール起動時処理では、図４に示すように、まず、ステップＳ1100で、ベットスイッチ用近接センサ16A が物体の近接を検出したか否かが判定される。
このステップＳ1100で、ベットスイッチ用近接センサ16A が物体の近接を検出したと判定された場合、次のステップＳ1110へ進む一方、ステップＳ1100で、ベットスイッチ用近接センサ16A が物体の近接を検出したと判定されなかった場合、ステップＳ1110をスキップしてステップＳ1200へ進む。
【００４５】
ステップＳ1110では、第１不正行為判定部61に設けられている第１タイマ61A に計時を開始させる第１タイマ61A の起動処理を行う。この起動処理によって、第１タイマ61A が計時を開始したら、次のステップＳ1200へ進む。
【００４６】
ステップＳ1200では、スタートスイッチ用近接センサ30A が物体の近接を検出したか否かが判定される。
このステップＳ1200で、スタートスイッチ用近接センサ30A が物体の近接を検出したと判定された場合、次のステップＳ1210へ進む一方、ステップＳ1200で、スタートスイッチ用近接センサ30A が物体の近接を検出したと判定されなかった場合、ステップＳ1210をスキップしてステップＳ1300へ進む。
【００４７】
ステップＳ1200では、第２不正行為判定部62に設けられている第２タイマ62A に計時を開始させる第２タイマ62A の起動処理を行う。この起動処理によって、第２タイマ62A が計時を開始したら、次のステップＳ1300へ進む。
【００４８】
ステップＳ1300では、回転リール40が起動したか否かが判定される。換言すると、ステップＳ1300では、三つの回転検出手段５のいずれかによって回転リール40の回転開始が検出されたか否かが判定される。
このステップＳ1300で、回転リール40が起動したと判定された場合、次のステップＳ1400へ進む一方、ステップＳ1300で、回転リール40が起動したと判定されなかった場合、ステップＳ1100へ戻る。換言すると、回転リール40が起動しなければ、ステップＳ1300から先へは進めないようになっている。
【００４９】
ステップＳ1400では、計時を開始させた第１タイマ61A 及び第２タイマ62A に計時動作を停止させる第１及び第２タイマ61A, 62Aの停止処理を行う。この停止処理によって、第１タイマ61A 及び第２タイマ62A が計時を停止したら、次のステップＳ1500へ進む。
【００５０】
ステップＳ1500では、第１タイマ61A の計時値t1が最小値Min1よりも大きく、且つ、最大値Max1よりも小さいか否かが判定される。逆に言うと、ステップＳ1500では、第１タイマ61A の計時値t1が所定の範囲を逸脱しているか否かが判定される。
このステップＳ1500で、計時値t1が最小値Min1よりも大きく、且つ、最大値Max1よりも小さいと判定されなかった場合、次のステップＳ1510へ進む一方、ステップＳ1500で、計時値t1が最小値Min1よりも大きく、且つ、最大値Max1よりも小さいと判定された場合、ステップＳ1510をスキップしてステップＳ1600へ進む。逆に言うと、ステップＳ1500で、計時値t1が所定の範囲を逸脱していると判定された場合、次のステップＳ1510へ進む一方、ステップＳ1500で、計時値t1が所定の範囲を逸脱していると判定されなかった場合、ステップＳ1510をスキップしてステップＳ1600へ進む。
【００５１】
ステップＳ1510では、ベットスイッチ16に対して何らかの不正行為が行われたことを報知するために、警報信号を発信する警報信号発信処理を行う。この警報信号発信処理によって、警報信号が発信されたら、次のステップＳ1600へ進む。
【００５２】
ステップＳ1600では、第２タイマ62A の計時値t2が最小値Min2よりも大きく、且つ、最大値Max2よりも小さいか否かが判定される。逆に言うと、ステップＳ1600では、第２タイマ62A の計時値t2が所定の範囲を逸脱しているか否かが判定される。
このステップＳ1600で、計時値t2が最小値Min2よりも大きく、且つ、最大値Max2よりも小さいと判定されなかった場合、次のステップＳ1610へ進む一方、ステップＳ1600で、計時値t2が最小値Min2よりも大きく、且つ、最大値Max2よりも小さいと判定された場合、ステップＳ1610をスキップして、本回転リール起動時処理を終了する。逆に言うと、ステップＳ1600で、計時値t2が所定の範囲を逸脱していると判定された場合、次のステップＳ1610へ進む一方、ステップＳ1600で、計時値t2が所定の範囲を逸脱していると判定されなかった場合、ステップＳ1510をスキップして、本回転リール起動時処理を終了する。
【００５３】
ステップＳ1610では、スタートスイッチ30に対して何らかの不正行為が行われたことを報知するために、警報信号を発信する警報信号発信処理を行う。この警報信号発信処理によって、警報信号が発信されたら、本回転リール起動時処理を終了する。
本回転リール起動処理が終了すると、図３に示されるように、次のステップＳ3000から始まる左回転リール起動時処理を開始する。
【００５４】
（左回転リール停止時処理）
次に、ステップＳ3000から開始される左回転リール停止時処理について説明する。
左回転リール停止時処理では、図５に示すように、まず、ステップＳ3500で、第３不正行為判定部62に設けられている第３タイマ63A を停止させる第３タイマ63A の停止処理が実行済みであるか否かが判定される。具体的に説明すると、ステップＳ3500では、第３タイマ63A を停止させる際に成立される第３回転リール停止フラグが成立しているか否かの判定を行う。
このステップＳ3500で、第３タイマ63A の停止処理が実行済みであると判定されなかった場合、次のステップＳ3600へ進む一方、ステップＳ3500で、第３タイマ63A の停止処理が実行済みであると判定された場合、本左回転リール停止時処理を一旦終了する。
【００５５】
ステップＳ3600では、第３タイマ63A を起動させる第３タイマ63A の起動処理が実行済みであるか否かが判定される。具体的に説明すると、ステップＳ3600では、第３タイマ63A を起動させる際に成立される第３回転リール起動フラグが成立しているか否かの判定を行う。
このステップＳ3600で、第３タイマ63A の起動処理が実行済みであると判定されなかった場合、次のステップＳ3700へ進む一方、ステップＳ3600で、第３タイマ63A の起動処理が実行済みであると判定された場合、ステップＳ3800へジャンプする。
【００５６】
ステップＳ3700では、ストップスイッチ用近接センサ50A が物体の近接を検出したか否かが判定される。
このステップＳ3700で、ストップスイッチ用近接センサ50A が物体の近接を検出したと判定された場合、次のステップＳ3710へ進む一方、ステップＳ3700で、ストップスイッチ用近接センサ50A が物体の近接を検出したと判定されなかった場合、本左回転リール停止時処理を一旦終了する。
【００５７】
ステップＳ3710では、第３不正行為判定部63に設けられている第３タイマ63A に計時を開始させる第３タイマ63A の起動処理を行う。この起動処理によって、第３タイマ63A が計時を開始したら、次のステップＳ3800へ進む。
【００５８】
ステップＳ3800では、左回転リール40が停止したか否かが判定される。
このステップＳ3800で、左回転リール40が停止したと判定された場合、次のステップＳ3810へ進む一方、ステップＳ3800で、左回転リール40が停止したと判定されなかった場合、本左回転リール停止時処理を一旦終了する。
【００５９】
ステップＳ3810では、計時を開始させた第３タイマ63A に計時動作を停止させる第３タイマ63A の停止処理を行う。この停止処理によって、第３タイマ63A が計時を停止したら、次のステップＳ3900へ進む。
【００６０】
ステップＳ3900では、第３タイマ63A の計時値t3が最小値Min3よりも大きく、且つ、最大値Max3よりも小さいか否かが判定される。逆に言うと、ステップＳ3900では、第３タイマ63A の計時値t3が所定の範囲を逸脱しているか否かが判定される。
このステップＳ3900で、計時値t3が最小値Min3よりも大きく、且つ、最大値Max3よりも小さいと判定されなかった場合、次のステップＳ3910へ進む一方、ステップＳ3900で、計時値t3が最小値Min3よりも大きく、且つ、最大値Max3よりも小さいと判定された場合、本左回転リール停止時処理を一旦終了し、次の回転リール40の停止処理を開始する。
逆に言うと、ステップＳ3900で、計時値t3が所定の範囲を逸脱していると判定された場合、次のステップＳ3910へ進む一方、ステップＳ3900で、計時値t3が所定の範囲を逸脱していると判定されなかった場合、ステップＳ3910をスキップして、本左回転リール停止時処理を一旦終了する。
【００６１】
ステップＳ3910では、左ストップスイッチ50に対して何らかの不正行為が行われたことを報知するために、警報信号を発信する警報信号発信処理を行う。この警報信号発信処理によって、警報信号が発信されたら、本左回転リール停止時処理を終了する。
本左回転リール停止時処理が終了すると、図３に示される次の処理を開始する。
【００６２】
（中回転リール停止時処理及び右回転リール停止時処理）
左回転リール停止時処理が終了すると、ステップＳ3000から始まる中回転リール停止時処理が開始される。
この中回転リール停止時処理の処理内容は、図５に示すように、左回転リール停止時処理と同様であり、左回転リール停止時処理に関する記載における「左」を「中」に置き換え、且つ、「３」を「４」に置き換えることで中回転リール停止時処理の説明となるので、詳しい説明は省略する。
【００６３】
また、中回転リール停止時処理が終了すると、ステップＳ4000から始まる右回転リール停止時処理が開始される。
この右回転リール停止時処理の処理内容は、図６に示すように、左回転リール停止時処理と同様であり、左回転リール停止時処理に関する記載における「左」を「右」に置き換え、且つ、「３」を「５」に置き換えることで中回転リール停止時処理の説明となるので、詳しい説明は省略する。
右回転リール停止時処理が終了すると、図３に示すように、ステップＳ6100へ進み、３個すべての回転リール40が停止するまで、左回転リール停止時処理、中回転リール停止時処理及び右回転リール停止時処理が何度も繰り返されるようになっている。
【００６４】
（第１実施形態の効果）
前述のような本第１実施形態によれば、次のような効果が得られる。
すなわち、操作部分としてスロットマシン１に設けられているベットスイッチ16、スタートスイッチ30及びストップスイッチ50の近傍にそれぞれ近接センサ16A, 30A, 50A を設け、ベットスイッチ16、スタートスイッチ30及びストップスイッチ50を操作する操作者の身体の一部（例えば、指）がベットスイッチ16、スタートスイッチ30及びストップスイッチ50との間に僅かな距離を残して近接、あるいは、これらに到達した状態、換言すると、これらに触れたとみなせる状態になっている場合にのみ、近接センサ16A, 30A, 50A がその接近を検出するようになる。
従って、ベットスイッチ16、スタートスイッチ30及びストップスイッチ50のいずれかが操作された際に、それに対応する近接センサ16A, 30A, 50A が物体の接近を検出していなければ、警報信号を発信するように形成した不正行為判定手段６を設け、「ソレノイドゴト」等の不正行為が行われた場合には、不正行為判定手段６がその旨を報知する警報信号を発信するようになるので、「ソレノイドゴト」等の不正行為が行われたことを確実に報知することができる。
ここで、近接センサ16A, 30A, 50A は、それ自身と物体との距離を測定し、測定した物体との距離に基づいて、物体の接近を検出するものであることから、ベットスイッチ16、スタートスイッチ30及びストップスイッチ50の表面が汚れていても、汚れていないときと同様に、物体の接近を正確に検出でき、従って、ベットスイッチ16、スタートスイッチ30及びストップスイッチ50の表面が煙草や指の脂で汚れても、警報信号が誤発信されることがなくなり、これにより、警報信号誤発信のおそれをなくすことができる。
【００６５】
また、不正行為判定手段６に、近接センサ16A, 30Aからの物体検出信号の状態が離隔報知状態から近接報知状態へ移行すると計時を開始し、回転リール40の運転状態が停止状態から回転状態へ変化したときに計時を終了する第１タイマ61A 及び第２タイマ62A と、近接センサ50A からの物体検出信号の状態が離隔報知状態から近接報知状態へ移行すると計時を開始し、回転リール40の運転状態が回転状態から停止状態へ変化したときに計時を終了する第３タイマ63A 、第４タイマ64A 及び第５タイマ65A とを設け、これら第１〜第５タイマ61A,62A,63A,64A,65A のそれぞれが計時した計時値t1〜t5の各々に対して所定の範囲を設定しておき、計時値t1〜t5の各々が対応する範囲から逸脱しているときに、不正行為が行われたとの判定をするように形成したので、ベットスイッチ16、スタートスイッチ30及びストップスイッチ50のいずれにも接触しないで、回転リール40の運転状態が変化した場合にのみ警報信号を発信するだけでなく、近接センサが当該操作者の身体の一部の近接を検出した後に、回転リール40の運転状態が変化した場合でも、回転リール40の運転状態が変化したタイミングが異常なとき、例えば、近接を検出してから回転リール40の運転状態が変化するまでの時間が著しく短い、あるいは、長いときには、警報信号を発信することができる。
【００６６】
例えば、スタートスイッチ30に接触せずに回転リール40が回転しはじめた場合には、第２タイマ62A が起動せず、計時値t2が「０」のままとなり、計時値t2が最小値Min1よりも大きくなることがない。ここで、第２タイマ62A が計時した計時値t2が最小値Min1よりも小さい場合に、不正行為が行われたとの判定を行うように設定してあるので、不正行為が行われたことを報知することができる。
そして、近接センサ30A が近接を検出した後に、回転リールの運転状態が変化した場合でも、近接センサ30A が近接を検出してから回転リール40が回転を開始するまでの時間が著しく短いときには、第２タイマ62A が計時した計時値t2が最小値Min1よりも小さくなるので、この場合にも、不正行為が行われたことを報知することができる。
【００６７】
［第２実施形態］
図８には、本発明の第２実施形態に係る不正行為判定手段７が示されている。
本第２実施形態は、前記第１実施形態における近接センサ16A, 30A, 50A の近接検出から回転リール40の状態変化までの時間が所定の範囲から逸脱しているときに不正行為が行われたと判定する不正行為判定手段６を、近接センサ16A, 30A, 50A の近接検出により成立する移行フラグの不成立状態で、回転リール40の状態が変化したときに不正行為が行われたと判定する不正行為判定手段７としたものである。
【００６８】
（不正行為判定手段７）
すなわち、不正行為判定手段７には、図８に示すように、ベットスイッチ用近接センサ16A からの信号等に基づいて不正行為の判定を行う第１不正行為判定部71と、スタートスイッチ用近接センサ30A からの信号等に基づいて不正行為の判定を行う第２不正行為判定部72と、左ストップスイッチ用近接センサ50A からの信号等に基づいて不正行為の判定を行う第３不正行為判定部73と、中ストップスイッチ用近接センサ50A からの信号等に基づいて不正行為の判定を行う第４不正行為判定部74と、右ストップスイッチ用近接センサ50A からの信号等に基づいて不正行為の判定を行う第５不正行為判定部75と、前記第１実施形態における不正行為判定手段６の有していたものと同一の論理和回路部67A, 66Bと、五つの論理積回路部77A 〜77E とが設けられている。
【００６９】
第１〜第５不正行為判定部71〜75は、図８の如く、近接センサ16A, 30A, 50A のうち対応するものから出力される物体検出信号の状態が離隔報知状態から近接報知状態へ移行すると、それぞれの移行フラグF1〜F5を成立させる第１〜第５条件設定手段71A 〜75A をそれぞれ備えたものとなっている。
また、第１〜第５不正行為判定部71〜75の各々には、成立した移行フラグF1〜F5がそのまま成立状態で放置されてしまうのを防止するために、成立から所定時間が経過すると、成立した移行フラグF1〜F5を不成立状態に戻す第１〜第５タイマ71B 〜75B が設けられている。
そして、第１〜第５不正行為判定部71〜75の各々は、その第１〜第５条件設定手段71A 〜75A における移行フラグF1〜F5のそれぞれの状態に対応した状態の出力信号を出力するものとなっている。
換言すると、第１〜第５不正行為判定部71〜75のそれぞれから出力される出力信号は、近接センサ16A, 30A, 50A のうち対応するものから出力される物体検出信号の状態が離隔報知状態から近接報知状態へ移行すると、信号の状態がフラグ不成立状態からフラグ成立状態へ変化するようになっている。
【００７０】
これらのうち、第１不正行為判定部71の出力信号及び第２不正行為判定部72の出力信号は、論理積回路部77A に入力されている。そして、論理積回路部77A は、第１不正行為判定部71の出力信号と、第２不正行為判定部72の出力信号との論理積を演算し、その結果を出力するようになっている。
具体的には、論理積回路部77A は、第１不正行為判定部71及び第２不正行為判定部72の両方の出力信号の状態がともにフラグ成立状態の場合にのみ、論理値「１」を示す信号を出力するようになっている。換言すると、論理積回路部77A は、第１不正行為判定部71及び第２不正行為判定部72の出力信号のうち少なくとも一方の状態がフラグ不成立状態の場合、論理値「０」を示す信号を出力するようになっている。
【００７１】
論理積回路部77A の出力信号は、反転された状態で論理積回路部77B に受信されるようになっている。この論理積回路部77B には、論理積回路部77A の出力信号に加えて、論理和回路部67A の出力信号が入力されるようになっている。
論理積回路部77B は、論理積回路部77A の出力信号の反転信号と、論理和回路部67A の出力信号との論理積を演算し、その結果を出力するものとなっている。
具体的には、論理積回路部77B は、回転リール40が回転を開始した際に、第１不正行為判定部71及び第２不正行為判定部72の出力信号のうち少なくとも一方の状態がフラグ不成立状態の場合に論理値「１」を示す信号、すなわち、不正行為が行われたことを報知するための信号を論理和回路部67B へ出力するようになっている。
【００７２】
一方、第３〜第５不正行為判定部73〜75の各出力信号は、反転された状態で、それぞれ論理積回路部77C 〜77E に受信されるようになっている。
論理積回路部77C 〜77E の各々には、第３〜第５不正行為判定部73〜75のそれぞれから出力される出力信号に加えて、対応する回転検出手段５の反転出力ポートから出力される信号が入力されるようになっている。
そして、論理積回路部77C 〜77E の各々は、第３〜第５不正行為判定部73〜75のそれぞれから出力される出力信号と、対応する回転検出手段５の反転出力ポートから出力される信号との論理積を演算し、その結果を出力するようになっている。
具体的には、論理積回路部77C 〜77E の各々は、対応する回転リール40が停止した際に、第３〜第５不正行為判定部73〜75のうちの対応するものの出力信号がフラグ不成立状態の場合に論理値「１」を示す信号、すなわち、不正行為が行われたことを報知するための信号を論理和回路部67B へ出力するようになっている。
このような本第２実施形態によっても、前記第１実施形態と同様の作用、効果を奏することができる。
【００７３】
なお、本発明は、前記実施形態に限定されるものではなく、本発明の目的を達成できる範囲における変形及び改良などをも含むものである。
例えば、前記実施形態では、ベットスイッチ16、スタートスイッチ30及びストップスイッチ50のすべての近傍に近接センサ16A, 30A, 50A を設けたが、これに限らず、ベットスイッチ16、スタートスイッチ30及びストップスイッチ50のうち一つあるいは二つの近傍については、近接センサの設置を省略してもよく、例えば、ベットスイッチ16及びスタートスイッチ30の近傍にのみ近接センサ16A, 30Aをそれぞれ設置し、三個のストップスイッチ50については、近傍への近接スイッチの設置を省略してもよい。
【符号の説明】
【００７４】
１            スロットマシン
５            回転検出手段
６            不正行為判定手段
16            ベットスイッチ
16A,30A,50A   近接センサ
30            スタートスイッチ
40            回転リール
41            図柄
50            ストップスイッチ
61A〜65A      計時手段としての第１〜第５タイマ
【図１】
2010172446.tif 000003
【図２】
2010172446.tif 000004
【図３】
2010172446.tif 000005
【図４】
2010172446.tif 000006
【図５】
2010172446.tif 000007
【図６】
2010172446.tif 000008
【図７】
2010172446.tif 000009
【図８】
2010172446.tif 000010